(57)【要約】【課題】普図変動演出をより効果的に活用することによって演出効果を更に向上させる。【解決手段】普通図柄表示手段のみを用いて普図変動演出を行う第１の演出形態と、普通図柄表示手段と共に普通図柄演出表示手段２０を用いて普図変動演出を行う第２の演出形態とを設け、遊技状態に応じて、普通図柄演出表示手段２０による普図変動演出を実行するか否か、即ち第１，第２の演出形態の何れかを選択する。【選択図】図６
2014113184.tif 000002
【特許請求の範囲】
【請求項１】
所定条件が成立することに基づいて、乱数抽選により普図当選か否かの判定を行う普図当選判定手段と、
前記普図当選判定手段による判定結果に基づいて普図変動演出手段による普図変動演出を実行させる普図変動演出制御手段と、
前記普図変動演出手段が前記普図変動演出の終了時に前記普図当選に対応する普図当選態様を表示した場合に、遊技球が入球不可能又は入球困難な閉状態から入球容易な開状態に所定時間変化する作動式始動入球手段と、
前記作動式始動入球手段を含む特図始動手段に遊技球が入球することに基づいて、乱数抽選により特図当選か否かの判定を行う特図当選判定手段と、
前記特図当選判定手段による判定結果に基づいて特図変動演出手段による特図変動演出を実行させる特図変動演出制御手段と、
前記特図変動演出手段が前記特図変動演出の終了時に前記特図当選に対応する特図当選態様を表示した場合に利益状態を発生させる利益状態発生手段と
を備えた弾球遊技機において、
前記普図変動演出の演出形態を複数種類設け、
遊技状態に応じて前記演出形態を選択する普図変動演出選択手段を備えた
ことを特徴とする弾球遊技機。
【請求項２】
前記普図変動演出手段を複数設け、
複数種類の前記演出形態は、前記普図変動演出を実行させる１又は複数の前記普図変動演出手段がそれぞれ異なっている
ことを特徴とする請求項１に記載の弾球遊技機。
【請求項３】
前記普図変動演出手段は、第１普図変動演出手段と第２普図変動演出手段とを含み、
前記普図変動演出制御手段は、主制御基板に設けられ且つ前記第１普図変動演出手段を制御する第１普図変動演出制御手段と、演出制御基板に設けられ且つ前記主制御基板からのコマンドに基づいて前記第２普図変動演出手段を制御する第２普図変動演出制御手段とを備え、
前記第１普図変動演出制御手段は、前記遊技状態に拘わらず前記第１普図変動演出手段による普図変動演出を実行させるように構成し、
前記普図変動演出選択手段は、前記第２普図変動演出手段を前記第１普図変動演出手段と共に作動させるか否かを前記遊技状態に応じて決定するように構成した
ことを特徴とする請求項２に記載の弾球遊技機。
【請求項４】
前記特図変動演出手段が前記特図変動演出の終了時に前記特図当選態様を表示することに基づいて、前記利益状態の終了後に特別遊技状態を発生させる特別遊技状態発生手段を備え、
前記特別遊技状態中は、それ以外の遊技状態に比べて前記作動式始動入球手段の開放時間が長くなると共に、前記普図変動演出選択手段によって前記第２普図変動演出手段が選択される確率がそれ以外の遊技状態に比べて低くなるように構成した
ことを特徴とする請求項３に記載の弾球遊技機。
【請求項５】
前記第２普図変動演出手段は、遊技領域の略中央に配置される画像表示手段上で前記普図変動演出を行うように構成した
ことを特徴とする請求項２〜４の何れかに記載の弾球遊技機。
【請求項６】
前記普図変動演出選択手段は、前記特図変動演出の状態に応じて前記演出形態を選択するように構成した
ことを特徴とする請求項１〜５の何れかに記載の弾球遊技機。
【請求項７】
前記普図変動演出選択手段は、前記特図変動演出中であるか否かに応じて前記演出形態を選択するように構成した
ことを特徴とする請求項６に記載の弾球遊技機。
【請求項８】
前記普図変動演出選択手段は、前記特図変動演出中である場合にはその特図変動演出の種類に応じて前記演出形態を選択するように構成した
ことを特徴とする請求項６又は７に記載の弾球遊技機。
【請求項９】
前記普図変動演出選択手段は、予め設定された抽選テーブルに基づいて前記演出形態を選択するように構成し、
前記抽選テーブルを、前記普図当選判定手段による判定結果に対応して複数種類設けた
ことを特徴とする請求項１〜８の何れかに記載の弾球遊技機。
【発明の詳細な説明】
【技術分野】
【０００１】
本発明は、パチンコ機等の弾球遊技機に関するものである。
【背景技術】
【０００２】
例えばパチンコ機では、普図始動手段による遊技球の検出等の所定条件が成立することに基づいて、普図当選か否かの普図抽選を行うと共にその普図抽選の結果に基づいて普図変動演出を行い、その普図変動演出の終了時に普図当選に対応する普図当選態様が表示されることに基づいて、特図始動入球手段を構成する作動式始動入球手段を所定時間開放し、またその特図始動入球手段に遊技球が入球することに基づいて、特図当選か否かの特図抽選を行うと共にその特図抽選の結果に基づいて特図変動演出を行い、その特図変動演出の終了時に特図当選に対応する特図当選態様が表示されることに基づいて、大入賞手段の開放等の利益状態を発生させるように構成したものが一般的である。
【０００３】
この種のパチンコ機においては、普図変動演出に比べてより大きな利益に直結する特図変動演出の方が遊技者の注目度は高く、従って普図変動演出に比べて特図変動演出の方がより趣向を凝らした派手な演出が行われるのが通常であるが、一方で、特図変動演出単独では演出のパターンに限りがあるため、演出効果の向上にも自ずと限界があった。
【０００４】
そこで、例えば特許文献１に記載の発明では、従来は特図抽選とは無関係に実行されていた普図変動演出において、特図当選の信頼度等、特図抽選に基づく利益の信頼度を表示するように構成することで、演出効果の更なる向上を図っている。
【先行技術文献】
【特許文献】
【０００５】
【特許文献１】特開２０１２−１３９５５２号公報
【発明の概要】
【発明が解決しようとする課題】
【０００６】
特許文献１に記載の発明では、特図当選の信頼度等に基づく普図変動演出を行っているが、その演出形態に変化がなく、演出効果を十分に向上させるには至っていなかった。
【０００７】
本発明は上記事情に鑑みてなされたものであり、普図変動演出をより効果的に活用することにより演出効果の更なる向上が可能な弾球遊技機を提供することを目的とする。
【課題を解決するための手段】
【０００８】
本発明は、所定条件が成立することに基づいて、乱数抽選により普図当選か否かの判定を行う普図当選判定手段４４ａと、前記普図当選判定手段４４ａによる判定結果に基づいて普図変動演出手段２２，２０による普図変動演出を実行させる普図変動演出制御手段４５，６６と、前記普図変動演出手段２２，２０が前記普図変動演出の終了時に前記普図当選に対応する普図当選態様を表示した場合に、遊技球が入球不可能又は入球困難な閉状態から入球容易な開状態に所定時間変化する作動式始動入球手段２７ｂと、前記作動式始動入球手段２７ｂを含む特図始動手段１６に遊技球が入球することに基づいて、乱数抽選により特図当選か否かの判定を行う特図当選判定手段５４ａと、前記特図当選判定手段５４ａによる判定結果に基づいて特図変動演出手段２３，２５による特図変動演出を実行させる特図変動演出制御手段５５，６５と、前記特図変動演出手段２３，２５が前記特図変動演出の終了時に前記特図当選に対応する特図当選態様を表示した場合に利益状態を発生させる利益状態発生手段５６とを備えた弾球遊技機において、前記普図変動演出の演出形態を複数種類設け、遊技状態に応じて前記演出形態を選択する普図変動演出選択手段６６ａを備えたものである。
【０００９】
また、前記普図変動演出手段２２，２０を複数設け、複数種類の前記演出形態は、前記普図変動演出を実行させる１又は複数の前記普図変動演出手段２２，２０がそれぞれ異なるように構成してもよい。この場合、前記普図変動演出手段２２，２０は、第１普図変動演出手段２２と第２普図変動演出手段２０とを含み、前記普図変動演出制御手段４５，６６は、主制御基板３１に設けられ且つ前記第１普図変動演出手段２２を制御する第１普図変動演出制御手段４５と、演出制御基板３２に設けられ且つ前記主制御基板３１からのコマンドに基づいて前記第２普図変動演出手段２０を制御する第２普図変動演出制御手段６６とを備え、前記第１普図変動演出制御手段４５は、前記遊技状態に拘わらず前記第１普図変動演出手段２２による普図変動演出を実行させるように構成し、前記普図変動演出選択手段６６ａは、前記第２普図変動演出手段２０を前記第１普図変動演出手段２２と共に作動させるか否かを前記遊技状態に応じて決定するように構成してもよい。
【００１０】
またこの場合、前記特図変動演出手段２３，２５が前記特図変動演出の終了時に前記特図当選態様を表示することに基づいて、前記利益状態の終了後に特別遊技状態を発生させる特別遊技状態発生手段５７を備え、前記特別遊技状態中は、それ以外の遊技状態に比べて前記作動式始動入球手段２７ｂの開放時間が長くなると共に、前記普図変動演出選択手段６６ａによって前記第２普図変動演出手段２０が選択される確率がそれ以外の遊技状態に比べて低くなるように構成してもよい。また、前記第２普図変動演出手段２０は、遊技領域１３の略中央に配置される画像表示手段２１上で前記普図変動演出を行うように構成してもよい。
【００１１】
また、前記普図変動演出選択手段６６ａは、前記特図変動演出の状態に応じて前記演出形態を選択するように構成してもよい。この場合、前記特図変動演出中であるか否かに応じて前記演出形態を選択するように構成してもよいし、前記特図変動演出中である場合にはその特図変動演出の種類に応じて前記演出形態を選択するように構成してもよい。
【００１２】
更に、前記普図変動演出選択手段６６ａは、予め設定された抽選テーブルに基づいて前記演出形態を選択するように構成し、前記抽選テーブルを、前記普図当選判定手段４４ａによる判定結果に対応して複数種類設けてもよい。
【発明の効果】
【００１３】
本発明によれば、普図変動演出をより効果的に活用することができ、演出効果の更なる向上が期待できる。
【図面の簡単な説明】
【００１４】
【図１】本発明の一実施形態に係るパチンコ機の全体斜視図である。
【図２】同パチンコ機の遊技盤の正面図である。
【図３】同パチンコ機の制御系のブロック図である。
【図４】同パチンコ機の普図大当選／普図小当選／普図外れの抽選確率及び対応する作動式始動入球手段の開閉パターンの一例を示す図である。
【図５】同パチンコ機の普図大当選／普図小当選／普図外れにおける変動時間の選択率及びそれらに対応する普図変動パターンコマンドの一例を示す図である。
【図６】同パチンコ機の普図変動演出抽選テーブルの一例を示す図である。
【図７】同パチンコ機の演出抽選テーブルの一例を示す図である。
【発明を実施するための形態】
【００１５】
以下、本発明の実施形態を図面に基づいて詳述する。図１〜図７は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。前面板５には、その前側に、発射手段（図示省略）に供給するための遊技球を貯留する貯留皿６、発射手段を作動させるための発射ハンドル７等が設けられている。
【００１６】
ガラス扉４の後側には、図２に示す遊技盤１１が前枠３に対して例えば前側から着脱自在に装着されている。遊技盤１１の前面側には、発射手段から発射された遊技球を案内するガイドレール１２が略環状に装着されると共に、そのガイドレール１２の内側の遊技領域１３に、センターケース１４、普図始動手段１５、特図始動手段１６、大入賞手段１７、普通入賞手段１８等の各種遊技部品が配置されている。
【００１７】
センターケース１４には、液晶表示手段等よりなる画像表示手段２１の他、普通図柄表示手段２２、特別図柄表示手段２３、普図保留個数表示手段２４等が設けられている。画像表示手段２１は、普通図柄演出表示手段２０、特別図柄演出表示手段２５、特図保留個数表示手段２６等を構成している。
【００１８】
普通図柄表示手段２２は、普通図柄を変動表示可能な複数、例えば２個の発光体（例えばＬＥＤ）により構成されており、通過ゲート等よりなる普図始動手段１５が遊技球を検出すること（所定条件が成立すること）に基づいて、それら２つの発光体の発光状態の組み合わせを繰り返し変更することにより普通図柄を所定時間変動させた後、普図始動手段１５による遊技球検出時に取得された当たり判定乱数値が予め定められた当たり判定値と一致する場合には普図当選に対応する発光態様（普図当選態様）で、それ以外の場合には普図外れに対応する発光態様（普図外れ態様）で、それぞれ変動を停止させるようになっている。なお、この普通図柄表示手段（第１普図変動演出手段）２２による普通図柄の変動表示が普図変動演出の一例である。
【００１９】
本実施形態の普図当選には例えば「普図大当選」と「普図小当選」との２種類あり、例えば当たり判定乱数値が当たり判定値と一致した場合に、当たり振分乱数値に基づいて「普図大当選」と「普図小当選」との何れかが選択され、「普図大当選」の場合には普通図柄は普図当選態様のうちの普図大当選態様で停止し、「普図小当選」の場合には普通図柄は普図当選態様のうちの普図小当選態様で停止するようになっている。もちろん、「普図小当選」と「普図大当選」との振り分けについても当たり判定乱数値を用いて行うようにしてもよい。即ち、当たり判定乱数値が、当たり判定値のうちの普図小当選判定値と一致する場合には「普図小当選」とし、当たり判定値のうちの普図大当選判定値と一致する場合には「普図大当選」とするように構成してもよい。
【００２０】
また、普通図柄表示手段２２の変動表示中、又は後述する普通利益状態中に普図始動手段１５が遊技球を検出した場合には、その検出時に取得された当たり判定乱数値が予め定められた上限保留個数、例えば４個を限度として記憶されると共に、例えば上限保留個数と同数の発光体よりなる普図保留個数表示手段２４がその発光個数により当たり判定乱数値の記憶個数（以下、普図保留個数という）を表示して、その時点での普図保留個数を遊技者に報知するようになっている。
【００２１】
特図始動手段１６は、特別図柄表示手段２３による図柄変動を開始させるためのもので、上下２つの特図始動入賞手段２７ａ，２７ｂを備え、例えばセンターケース１４の下側に配置されている。
【００２２】
上特図始動入賞手段２７ａは、開閉手段等を有しない非作動式の入賞手段である。下特図始動入賞手段（作動式始動入球手段）２７ｂは、開閉手段２８により遊技球が入賞不可能（又は入賞困難）な閉状態と入賞容易な開状態とに切り換え可能な作動式の入賞手段で、普通図柄表示手段２２の変動後の停止図柄が普図当選態様となって普通利益状態が発生したときに、開閉手段２８が例えば複数種類の開閉パターンの何れかに従って所定時間、所定回数だけ閉状態から開状態に変化するように構成されている。
【００２３】
本実施形態では、下特図始動入賞手段２７ｂの開閉パターンが３種類設けられており、図４に示すように、後述する特別遊技状態中以外の通常遊技状態中は、普図大当選の場合には５．０秒開放×１回の開閉パターンが、普図小当選の場合には０．５秒開放×１回の開閉パターンがそれぞれ選択され、特別遊技状態中は、普図当選の種類に拘わらず１．８秒開放×３回の開閉パターンが選択されるようになっている。
【００２４】
特別図柄表示手段２３は、１個又は複数個、例えば１個の特別図柄を変動表示可能な７セグメント式等の表示手段により構成されており、特図始動手段１６が遊技球を検出すること、即ち上下２つの特図始動入賞手段２７ａ，２７ｂの何れかに遊技球が入賞することに基づいて特別図柄を所定時間変動表示させた後、特図始動入賞手段２７ａ，２７ｂへの入賞時に取得された大当たり判定乱数値が予め定められた大当たり判定値と一致する場合には所定の特図当選態様で、それ以外の場合には特図外れ態様で停止させるようになっている。なお、この特別図柄表示手段（特図変動演出手段）２３による特別図柄の変動表示が特図変動演出の一例である。
【００２５】
特別図柄には、例えば特図当選態様と特図外れ態様とが夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２６】
また、特別図柄の変動表示中、又は後述する特別利益状態中に特図始動入賞手段２７ａ，２７ｂに遊技球が入賞した場合には、その入賞時に取得された大当たり判定乱数値等が夫々所定の上限保留個数、例えば各４個を限度として記憶されると共に、特図保留個数表示手段２６が大当たり判定乱数値の記憶個数（以下、特図保留個数という）を表示して、その時点での特図保留個数を遊技者に報知するようになっている。
【００２７】
普通図柄演出表示手段２０は、例えば普通図柄表示手段２２による普通図柄の変動に関する演出表示を行うもので、１個又は複数個、例えば１個の普通演出図柄を画像表示手段２１の表示画面２１ａ上で変動表示可能に構成されており、普図始動手段１５が遊技球を検出することに基づいて、例えば普通図柄の変動開始と同時に、複数種類の普通演出変動パターンの何れかに従って普通演出図柄の変動を開始すると共に、例えば普通図柄の変動停止と同時に最終停止するようになっている。
【００２８】
なお、この普通図柄演出表示手段（第２普図変動演出手段）２０による普通演出図柄の変動表示も、普通図柄表示手段２２による普通図柄の変動表示と同様、普図変動演出の一例である。即ち本実施形態では、普図変動演出を行う普図変動演出手段として、普通図柄表示手段２２と普通図柄演出表示手段２０との２種類設けられている。
【００２９】
本実施形態の普通演出図柄は、例えば複数種類のキャラクター画像で構成されており、例えば普通図柄の変動後の停止図柄態様が普図大当選態様となる場合には所定の「当たり態様」に対応するキャラクター画像で、普図小当選態様と普図外れ態様との何れかの場合には所定の「外れ態様」に対応するキャラクター画像で停止するようになっている。上述したように、通常遊技状態中の「普図小当選」の場合に選択される下特図始動入賞手段２７ｂの開閉パターンは、入賞がほとんど期待できない０．５秒開放×１回であり、遊技者にとっては実質的に「普図外れ」と同じである。従って、本実施形態の普通図柄演出表示手段２０による普通演出図柄の変動表示では、「普図小当選」は「普図外れ」と同じ扱いとなっている。
【００３０】
また本実施形態では、普通演出変動パターン（演出態様）として、例えば正方向に普通速度で変動するノーマル変動パターン、正方向にコマ送りで変動するコマ送り変動パターン、逆方向に普通速度で変動する逆回転変動パターン、発光しながら正方向に変動する発光変動パターン、発光しながら逆方向に変動する発光逆回転変動パターンの５種類が設けられているものとする（図７）。
【００３１】
特別図柄演出表示手段２５は、例えば特別図柄表示手段２３による特別図柄の変動に関する演出を行うもので、１個又は複数個、例えば左右方向に３個の特別演出図柄を例えば各種の演出画像と共に画像表示手段２１の表示画面２１ａ上で変動表示可能に構成されており、特図始動手段１６が遊技球を検出すること、即ち上下２つの特図始動入賞手段２７ａ，２７ｂの何れかに遊技球が入賞することに基づいて、例えば特別図柄の変動開始と同時に、複数種類の特別演出変動パターンの何れかに従って特別演出図柄の変動を開始すると共に、特別図柄の変動停止と同時に最終停止するように、特別演出図柄を左、右、中等の所定の順序で停止させるようになっている。
【００３２】
なお、この特別図柄演出表示手段（特図変動演出手段）２５による特別演出図柄の変動表示も、特別図柄表示手段２３による特別図柄の変動表示と同様、特図変動演出の一例である。即ち本実施形態では、特図変動演出を行う特図変動演出手段として、特別図柄表示手段２３と特別図柄演出表示手段２５との２種類設けられている。
【００３３】
特別演出図柄には、例えば「０」〜「９」の１０種類の数字図柄が用いられ、「６・６・６」「７・７・７」等、３つの図柄が全て同じ図柄で揃ったものが特図当選態様、少なくとも１つの図柄が異なるものが特図外れ態様となっており、例えば特別図柄が特図当選態様で停止する場合には特別演出図柄も特図当選態様で停止し、特別図柄が特図外れ態様で停止する場合には特別演出図柄も特図外れ態様で停止するようになっている。なお、特別図柄演出表示手段２５は、特別図柄の変動内容とは直接関係のない演出を行う場合があってもよい。
【００３４】
特図保留個数表示手段２６は、例えば保留表示画像Ｘの表示個数により特図保留個数を表示するもので、表示画面２１ａ上の所定箇所、例えば下部側に特図保留個数分の保留表示画像Ｘを表示するようになっている。
【００３５】
大入賞手段１７は、遊技球が入賞不可能な閉状態と入賞容易な開状態とに切り換え可能な開閉板２９を備えた作動式の入賞手段で、特別図柄表示手段２３の変動後の特別図柄が特図当選態様となることに基づいて特別利益状態（利益状態）が発生したときに、開閉板２９が所定の開放パターンに従って前側に開放して、その上に落下した遊技球を内部へと入賞させるようになっている。
【００３６】
図３は本パチンコ機の制御系のブロック図である。図３において、３１は主制御基板、３２は演出制御基板で、これら各制御基板３１，３２は、遊技盤１１に装着されたセンターケース１４、その他の複数個の遊技部品を裏側から一括して覆う裏カバーの裏側等、前枠３及び遊技盤１１を含む遊技機本体１の裏側の適宜箇所に着脱自在に装着された基板ケースに夫々収納されている。なお、図３では演出制御基板３２以外のサブ制御基板、例えば払い出し制御基板、液晶制御基板等については省略している。
【００３７】
主制御基板３１は、遊技の進行を統括的に制御するもので、ＣＰＵ，ＲＯＭ，ＲＡＭ等により構成される普図乱数作成処理手段４１、普図始動口チェック処理手段４２、普図乱数記憶手段４３、普通図柄処理手段４４、普通図柄表示制御手段４５、普通利益状態発生手段４６、特図乱数作成処理手段５１、特図始動口チェック処理手段５２、特図乱数記憶手段５３、特別図柄処理手段５４、特別図柄表示制御手段５５、特別利益状態発生手段５６、特別遊技状態発生手段５７、コマンド送信手段５８等を備えている。
【００３８】
普図乱数作成処理手段４１は、変動後の普通図柄を普図当選態様とするか否かの判定に用いる当たり判定乱数、普図大当選と普図小当選との振り分けに用いる当たり振分乱数等を所定時間毎に繰り返し発生するように構成されている。普図始動口チェック処理手段４２は、普図始動手段１５による遊技球の検出に基づく処理を行うもので、普図始動手段１５が遊技球を検出することに基づいて、普図乱数作成処理手段４１で作成された当たり判定乱数値、当たり振分乱数値等を各１個取得し、それら当たり判定乱数値等を予め定められた上限保留個数（例えば各４個）を限度として先入れ先出し式の普図乱数記憶手段４３に記憶させるように構成されている。
【００３９】
普通図柄処理手段４４は、普通図柄の変動表示に関する処理を行うもので、普図当選判定手段４４ａ、普図停止態様選択手段４４ｂ、変動時間選択手段４４ｃ等を備えている。普図当選判定手段４４ａは、乱数抽選により普図当選か否か等の判定を行うもので、普通図柄表示手段２２が変動表示可能な状態となり且つ普図乱数記憶手段４３に１個以上の当たり判定乱数値が記憶されていること（普図保留個数が１以上であること）を条件に、普図乱数記憶手段４３に記憶されている当たり判定乱数値の待ち行列からその先頭の当たり判定乱数値を取り出し、その当たり判定乱数値が予め定められた当たり判定値と一致するか否かに応じて普図当選／普図外れの判定を行い、また普図当選の場合には、当たり判定乱数値と共に普図乱数記憶手段４３に記憶されている当たり振分乱数値に基づいて普図大当選／普図小当選の判定を行うように構成されている。
【００４０】
本実施形態では、普図当選の確率は、後述する特別遊技状態中以外の通常遊技状態中は１００／２５１に、特別遊技状態中は２５０／２５１にそれぞれ設定され、また普図大当選／普図小当選の振分率は遊技状態に拘わらず１：９に設定されるものとする（図４）。従って、通常遊技状態中に普図大当選／普図小当選／普図外れとなる確率はそれぞれ１０／２５１、９０／２５１、１５１／２５１となる。
【００４１】
普図停止態様選択手段４４ｂは、普通図柄の変動後の停止図柄態様を選択するもので、普図当選判定手段４４ａによる普図大当選／普図小当選／普図外れの判定結果に基づいて普図大当選態様／普図小当選態様／普図外れ態様の何れかを選択するように構成されている。
【００４２】
変動時間選択手段４４ｃは、普通図柄の変動時間を複数種類の中から選択するもので、普図当選判定手段４４ａによる普図大当選／普図小当選／普図外れの判定結果と普図変動時間振り分けテーブルとに基づいて、複数種対の変動時間の何れかを選択するように構成されている。本実施形態では、普通図柄の変動時間として、長／短の２種類と、後述する特別遊技状態専用の変動時間（例えば１ｓ）との計３種類が設けられており、図５に示すような普図変動時間振り分けテーブルが予め設定されているものとする。
【００４３】
上述したように、特別遊技状態中については普図当選確率が２５０／２５１と極めて高確率に設定されており、普通図柄の変動によって遊技者を煽る必要がないため、図５の普図変動時間振り分けテーブルでは、特別遊技状態中の普通図柄の変動時間は一律に通常よりも短い１ｓに設定されている。また上述したように、通常遊技状態中の「普図小当選」の場合に選択される下特図始動入賞手段２７ｂの開閉パターンは、入賞がほとんど期待できない０．５秒開放×１回であり、遊技者にとっては実質的に「普図外れ」と同じである。従って、図５の普図変動時間振り分けテーブルでは、通常遊技状態中の普図小当選の場合には、普図外れの場合と同様、長い変動時間の選択率（５／１００）よりも短い変動時間の選択率（９５／１００）の方が高い値に設定されている。
【００４４】
普通図柄表示制御手段（第１普図変動演出制御手段）４５は、普通図柄処理手段４４による普通図柄処理に基づいて普通図柄表示手段２２の表示制御を行うもので、普通図柄表示手段２２が変動表示可能な状態となり且つ普図乱数記憶手段４３に１個以上の当たり判定乱数値が記憶されていること（普図保留個数が１以上であること）を条件に普通図柄表示手段２２による普通図柄の変動を開始させ、変動時間選択手段４４ｃで選択された変動時間が経過することに基づいて、普図停止態様選択手段４４ｂで選択された停止図柄態様で普通図柄の変動を停止させるようになっている。
【００４５】
普通利益状態発生手段４６は、特図始動手段１６の下特図始動入賞手段２７ｂを例えば複数種類の開閉パターンの何れかに従って開状態に変化させる普通利益状態を発生させるもので、普図当選判定手段４４ａによる判定結果が普図当選となり、普通図柄表示手段２２の変動後の停止図柄態様が普図当選態様となったときに普通利益状態を発生させるようになっている。
【００４６】
本実施形態では、図４に示すように、後述する特別遊技状態中以外の通常遊技状態中は普図大当選と普図小当選とで異なる開閉パターンが選択されるようになっている。即ち、普図大当選の場合の開閉パターンは例えば５．０秒開放×１回であり、その開放中の入賞が容易であるのに対し、普図小当選の場合の開閉パターンは例えば０．５秒開放×１回であり、開放中の入賞は極めて困難である。一方、特別遊技状態中に選択される開閉パターンは、通常遊技状態中に比べて開放時間が長くなっており、本実施形態では普図当選の種類に拘わらず１．８秒開放×３回に設定されている。
【００４７】
このように本実施形態では、通常遊技状態中に関しては、普図小当選は遊技者にとっては実質的に普図外れと同じであるため、通常遊技状態中における実質的な普図当選確率は、普図大当選の確率と同じ（ここでは１０／２５１）である。
【００４８】
特図乱数作成処理手段５１は、変動後の特別図柄を特図当選態様とするか否かについての判定に用いる大当たり判定乱数の他、変動後の特別図柄が特図当選態様となる場合の停止図柄態様の選択に用いる大当たり図柄乱数、変動後の特別図柄が特図外れ態様となる場合の停止図柄態様の選択に用いる外れ図柄乱数、特別演出図柄の変動パターンの選択に用いる変動パターン乱数、その他の所定の乱数を繰り返し発生する特図乱数作成処理を行うように構成されている。
【００４９】
特図始動口チェック処理手段５２は、特図始動手段１６への遊技球の入賞に基づく処理を行うもので、特図始動手段１６が遊技球を検出すること、即ち特図始動入賞手段２７ａ，２７ｂに遊技球が入賞することに基づいて、特図乱数作成処理手段５１で作成された大当たり判定乱数値及び大当たり図柄乱数値を１個ずつ取得し、それら大当たり判定乱数値及び大当たり図柄乱数値を予め定められた上限保留個数（例えば各４個）を限度として先入れ先出し式の特図乱数記憶手段５３に記憶させるように構成されている。
【００５０】
特別図柄処理手段５４は、特別図柄の変動表示に関する処理を行うもので、特図当選判定手段５４ａ、特図停止態様選択手段５４ｂ、変動パターン選択手段５４ｃを備えている。特図当選判定手段５４ａは、乱数抽選により特図当選か否か等の判定を行うもので、特別図柄表示手段２３が変動表示可能な状態となり且つ特図乱数作成処理手段５１に１個以上の大当たり判定乱数値が記憶されていること（特図保留個数が１以上であること）を条件に、特図乱数作成処理手段５１から待ち行列の先頭の大当たり判定乱数値を取り出し、その大当たり判定乱数値が予め定められた大当たり判定値と一致するか否かに応じて特図当選／特図外れの判定を行うように構成されている。
【００５１】
特図停止態様選択手段５４ｂは、特別図柄の変動後の停止図柄態様を選択するもので、特図当選判定手段５４ａによる特図当選／特図外れの判定結果と、特図乱数記憶手段５３に大当たり判定乱数値と共に記憶されている大当たり図柄乱数値又は新たに取得された外れ図柄乱数値とに基づいて、特別図柄の変動後の停止図柄態様を選択するように構成されている。また変動パターン選択手段５４ｃは、特別演出図柄の変動パターン（特別演出変動パターン）を選択するもので、特図当選判定手段５４ａによる特図当選／特図外れの判定結果と、新たに取得された変動パターン乱数値とに基づいて特別演出変動パターンを選択するように構成されている。
【００５２】
特別図柄表示制御手段（特図変動演出制御手段）５５は、特別図柄表示手段２３の表示制御を行うもので、特別図柄処理手段５４による特別図柄処理に基づいて、特別図柄表示手段２３による特別図柄の変動を開始させると共に、変動パターン選択手段５４ｃによって選択された変動パターンに対応する変動時間が経過することに基づいて、特図停止態様選択手段５４ｂによって選択された停止図柄態様で特別図柄の変動を停止させるようになっている。
【００５３】
特別利益状態発生手段（利益状態発生手段）５６は、大入賞手段１７を所定の開放パターンに従って開放する特別利益状態を発生させるもので、特図当選判定手段５４ａによる判定結果が特図当選となり、特別図柄表示手段２３による特別図柄の変動後の停止図柄態様が特図当選態様となることに基づいて特別利益状態を発生させるようになっている。本実施形態の開放パターンは、大入賞手段１７の開放から所定時間（例えば２８秒）経過するか、それまでに所定個数（例えば９個）の遊技球が入賞することを条件に大入賞手段１７を閉鎖する動作を、所定ラウンド数（例えば１５ラウンド）繰り返すように設定されているものとするが、複数種類の開放パターンを設け、例えば大当たり図柄乱数値に基づいてそれらの何れかを選択するように構成してもよい。
【００５４】
特別遊技状態発生手段５７は、特別利益状態発生後の所定期間に遊技者に有利な特別遊技状態を発生させるためのもので、例えば特図乱数記憶手段５３に記憶された大当たり判定乱数値が大当たり判定値と一致した場合の大当たり図柄乱数値に応じて、例えば時短状態と確変状態との何れかの特別遊技状態を発生させるように構成されている。
【００５５】
時短状態中は、特別図柄に関して特別図柄表示手段２３の変動時間が通常変動時間よりも短い短縮変動時間に切り換えられる他、普通図柄に関して、普図当選確率が通常確率（例えば１００／２５１）から高確率（例えば２５０／２５１）へ、変動時間が通常変動時間から短縮変動時間（例えば１秒）へ、下特図始動入賞手段２７ｂの開閉手段２８の開閉パターンが通常開閉パターン（例えば５．０秒開放×１回）から延長開閉パターン（例えば１．８秒開放×３回）へ、夫々切り換えられるようになっている（図４）。なお、時短状態は、例えば特別利益状態終了後に開始され、その開始後に特別図柄が所定回数（例えば５０回）変動するか、それまでに次の特別利益状態が開始された時点で終了するようになっている。
【００５６】
確変状態中は、それ以外の通常確率状態中よりも大当たり判定値の数が例えば１個から１０個へ増加されることにより、特別図柄が特図当選態様となる確率が通常確率よりも高い高確率に切り換えられると共に、例えば時短状態と同様の処理も併せて行われるようになっている。なお、確変状態は、例えば特別利益状態終了後に開始され、次の特別利益状態が開始された時点で終了するようになっている。
【００５７】
コマンド送信手段５８は、所定の制御コマンドを一方向通信により演出制御基板３２等のサブ制御基板側に送信して制御指令を与えるためのもので、普通図柄処理手段４４による普通図柄処理に基づいて、普通図柄の変動開始時に、普通図柄の変動時間等を指定する普図変動パターンコマンドを演出制御基板３２に送信し、普通図柄の変動終了時に普通演出図柄の変動停止を指示する普図変動停止コマンドを演出制御基板３２に送信する機能、特別図柄処理手段５４による特別図柄処理に基づいて、特別図柄の変動開始時に、特図保留個数の減算を指定する保留減算コマンド、特別演出変動パターンを指定する特図変動パターンコマンド、特別図柄の停止図柄を指定する特図停止態様指定コマンドをこの順序で演出制御基板３２に送信し、特別図柄の変動終了時に特別演出図柄の変動停止を指示する特図変動停止コマンドを演出制御基板３２に送信する機能、特図保留個数の増加時にその増加後の特図保留個数を指定する保留増加コマンドを演出制御基板３２に送信する機能等を備えている。
【００５８】
ここで、本実施形態の普図変動パターンコマンドは、図５に示すように、例えば普図当選判定手段４４ａによる判定結果と、変動時間選択手段４４ｃによる選択結果とに対応して複数種類設けられている。図５の例では、普図外れで変動時間：短の場合には“Ｃ００１Ｈ”が、普図小当選で変動時間：長の場合には“Ｃ００４Ｈ”が、特別遊技状態（時短状態又は確変状態）専用の１秒変動の場合には普図当選／普図外れに拘わらず“Ｃ００７Ｈ”がそれぞれ送信される。
【００５９】
演出制御基板３２は、画像表示手段２１、スピーカ６１、電飾手段６２等の各種演出手段を制御するもので、演出制御手段６３、特図保留個数表示制御手段６４、特別図柄演出制御手段６５、普通図柄演出制御手段６６等を備えている。
【００６０】
演出制御手段６３は、各種演出手段を制御するもので、画像表示手段２１による画像表示を制御する画像表示制御手段６３ａ、スピーカ６１からの音声出力を制御する音声制御手段６３ｂ、電飾手段６２等の発光を制御する発光制御手段６３ｃ等を備えている。
【００６１】
特図保留個数表示制御手段６４は、画像表示制御手段６３ａを介して特図保留個数表示手段２６の表示制御を行うもので、特図始動手段１６により新たに遊技球が検出され、主制御基板３１から保留増加コマンドを受信したときに、その保留増加コマンドに基づいて、画像表示手段２１の表示画面２１ａ上の所定位置に増加後の特図保留個数分の保留表示画像Ｘを表示し、例えば主制御基板３１から保留減算コマンドを受信することに基づいて、表示中の保留表示画像Ｘの数を１個減少させて待ち行列の前側にシフトさせるように構成されている。
【００６２】
特別図柄演出制御手段（特図変動演出制御手段）６５は、特別図柄演出表示手段２５による特図変動演出を制御するもので、主制御基板３１から特図変動パターンコマンド及び特図停止態様指定コマンドを受信した場合に、特別演出図柄の変動後の停止図柄態様、予告演出の種類等を抽選により決定すると共に、特図変動パターンコマンドに対応する変動パターンに基づいて画像表示手段２１の表示画面２１ａ上で特別演出図柄の変動を開始させ、その後に特図変動停止コマンドを受信したときに、抽選により決定した停止図柄態様で特別演出図柄の変動を停止させるようになっている。
【００６３】
普通図柄演出制御手段（第２普図変動演出制御手段）６６は、普通図柄演出表示手段２０による普図変動演出を制御するもので、演出実行抽選手段６６ａ、演出態様抽選手段６６ｂ、停止図柄態様選択手段６６ｃ等を備えている。
【００６４】
演出実行抽選手段（普図変動演出選択手段）６６ａは、普通図柄演出表示手段２０による普図変動演出を実行するか否かを抽選により決定するもので、例えば主制御基板３１から普図変動パターンコマンドを受信したときに、予め設けられた普図変動演出抽選テーブルに基づいて普通図柄演出表示手段２０による普図変動演出を実行するか否かの抽選を行うように構成されている。
【００６５】
図６に示すように、普図変動演出抽選テーブルには、特図変動演出の状態、その他の遊技状態に応じて、普通図柄演出表示手段２０による普図変動演出の実行確率が設定されている。また、普図変動演出抽選テーブルは、普図当選判定手段４４ａによる判定結果に対応して複数種類（ここでは普図大当選、普図小当選、普図外れに対応する３種類）設けられている。
【００６６】
本実施形態の普図変動演出抽選テーブルでは、普図外れ（図６（ｃ））よりも普図小当選（図６（ｂ））の方が、また普図小当選（図６（ｂ））よりも普図大当選（図６（ａ））の方が、普通図柄演出表示手段２０による普図変動演出の実行確率が高い値に設定されている。また、各普図変動演出抽選テーブルにおいては、遊技者の利益獲得に対する期待感や遊技意欲が低下しやすい遊技状態（例えば特図変動停止中、リーチなし外れ変動パターンによる特図変動中）ほど、普通図柄演出表示手段２０による普図変動演出の実行確率が相対的に高い値となるように設定されている。これにより、遊技者の遊技意欲の落ち込みを効果的に回避してパチンコ機の稼働率を高く維持できる。
【００６７】
なお本実施形態では、普図変動演出を行う普図変動演出手段として、普通図柄表示手段（第１普図変動演出手段）２２と普通図柄演出表示手段（第２普図変動演出手段）２０との２種類設けられているが、普通図柄表示手段２２による普図変動演出は必ず実行されるようになっている。即ち本実施形態では、普図変動演出の演出形態として、普通図柄表示手段２２のみを用いて普図変動演出を行う第１の演出形態と、普通図柄表示手段２２と普通図柄演出表示手段２０との両方を用いて普図変動演出を行う第２の演出形態との２種類設けられており、本実施形態の演出実行抽選手段（普図変動演出選択手段）６６ａは、それら２種類の演出形態の何れかを選択するように構成されている。
【００６８】
演出態様抽選手段６６ｂは、普通図柄演出表示手段２０による普通演出変動パターン（演出態様）を抽選により決定するもので、例えば演出実行抽選手段６６ａにより普通図柄演出表示手段２０による普図変動演出を実行する旨の決定がされた場合に、予め設けられた演出抽選テーブルと、主制御基板３１から受信した普図変動パターンコマンドより得られる普図大当選／普図小当選／普図外れの判定結果及び普通図柄の変動時間とに基づいて複数種類の普通演出変動パターン（演出態様）の何れかを選択するように構成されている。
【００６９】
演出抽選テーブルは、図７に示すように、普図大当選／普図小当選／普図外れの判定結果及び普通図柄の変動時間毎に各普通演出変動パターンの振り分け率を規定したものである。図７に示す演出抽選テーブルでは、正方向に普通速度で変動するノーマル変動パターン、正方向にコマ送りで変動するコマ送り変動パターン、逆方向に普通速度で変動する逆回転変動パターン、発光しながら正方向に変動する発光変動パターン、発光しながら逆方向に変動する発光逆回転変動パターンの５種類の普通演出変動パターンが選択対象となっている。
【００７０】
これら５種類の普通演出変動パターンは、その出現後に普通図柄が普図大当選態様となる確率（以下、信頼度という）が夫々異なっており、ノーマル変動パターン及びコマ送り変動パターン（低信頼度演出態様）はその他の変動パターンよりも信頼度が低く、発光逆回転変動パターンが最も信頼度が高く、逆回転変動パターン及び発光変動パターンが中程度の信頼度となっている。
【００７１】
なお上述したように、通常遊技状態中の「普図小当選」の場合に選択される下特図始動入賞手段２７ｂの開閉パターンは、入賞がほとんど期待できない０．５秒開放×１回であり、遊技者にとっては「普図外れ」と同等である。従って、本実施形態における演出抽選テーブルでは「普図小当選」は「普図外れ」と同じ扱いとなっている。
【００７２】
停止図柄態様選択手段６６ｃは、普通図柄演出表示手段２０による普図変動演出後の普通演出図柄の停止図柄態様を選択するもので、例えば演出実行抽選手段６６ａにより普通図柄演出表示手段２０による普図変動演出を実行する旨の決定がされた場合に、主制御基板３１から受信した普図変動パターンコマンドより得られる普図大当選／普図小当選／普図外れの判定結果に基づいて、例えば普図大当選の場合には所定の「当たり態様」に対応するキャラクター画像を、普図小当選と普図外れとの何れかの場合には所定の「外れ態様」に対応するキャラクター画像をそれぞれ選択するように構成されている。
【００７３】
演出実行抽選手段６６ａによって普通図柄演出表示手段２０による普図変動演出を実行する旨の決定がされ、演出態様抽選手段６６ｂによって普通演出変動パターンが、停止図柄態様選択手段６６ｃによって普通演出図柄の停止図柄態様がそれぞれ選択されると、普通図柄演出制御手段６６は、演出態様抽選手段６６ｂによって選択された普通演出変動パターンに基づいて画像表示手段２１の表示画面２１ａ上で普通演出図柄の変動を開始させ、その後に普図変動停止コマンドを受信したときに、停止図柄態様選択手段６６ｃによって選択された停止図柄態様で普通演出図柄の変動を停止させるようになっている。
【００７４】
以上説明したように、本実施形態のパチンコ機では、普図変動演出手段として普通図柄表示手段２２と普通図柄演出表示手段２０とを設け、それらのうち、普図変動演出を実行させる１又は複数の普図変動演出手段を特図変動演出の状態、その他の遊技状態に応じて選択する演出実行抽選手段（普図変動演出選択手段）６６ａを備えているため、普図変動演出をより効果的に活用することができ、演出効果の更なる向上が期待できる。
【００７５】
以上、本発明の実施形態について詳述したが、本発明はこれらの実施形態に限定されるものではなく、本発明の趣旨を逸脱しない範囲で種々の変更が可能である。例えば、普図変動演出手段は、実施形態で示した複数の発光体よりなる普通図柄表示手段２２、画像表示手段２１上に画像表示を行う普通図柄演出表示手段２０の他、７セグメント式の表示手段、可動体を用いた演出手段等を用いてもよい。また、同種の普図変動演出手段を複数設けてもよいし、普図変動演出手段を３種類以上設けてもよい。
【００７６】
実施形態では、普図大当選、普図小当選、普図外れに対応する３種類の普図変動演出抽選テーブルを設けた例を示したが、例えば普図小当選と普図外れとで共通の普図変動演出抽選テーブルを用いるようにしてもよい。また、普図当選と普図外れとに対応する２種類の普図変動演出抽選テーブルを設けてもよいし、普図当選と普図外れとで共通の普図変動演出抽選テーブルを用いるようにしてもよい。実施形態では、普図当選として普図大当選と普図小当選との２種類を設けた例を示したが、もちろん普図当選を１種類のみとしてもよい。
【００７７】
また実施形態では本発明をパチンコ機に適用した例を示したが、アレンジボール機等の他の弾球遊技機においても同様に実施可能であることは言うまでもない。
【符号の説明】
【００７８】
１３    遊技領域
１６    特図始動手段
２０    普通図柄演出表示手段（普図変動演出手段，第２普図変動演出手段）
２１    画像表示手段
２２    普通図柄表示手段（普図変動演出手段，第１普図変動演出手段）
２３    特別図柄表示手段（特図変動演出手段）
２５    特別図柄演出表示手段
２７ｂ  下特図始動入賞手段（作動式始動入球手段）
３１    主制御基板
３２    演出制御基板
４４ａ  普図当選判定手段
４５    普通図柄表示制御手段（普図変動演出制御手段，第１普図変動演出制御手段）
５４ａ  特図当選判定手段
５５    特別図柄表示制御手段（特図変動演出制御手段）
５６    特別利益状態発生手段（利益状態発生手段）
５７    特別遊技状態発生手段
６５    特別図柄演出制御手段
６６    普通図柄演出制御手段（普図変動演出制御手段，第２普図変動演出制御手段）
６６ａ  演出実行抽選手段（普図変動演出選択手段）
【図１】
2014113184.tif 000003
【図２】
2014113184.tif 000004
【図３】
2014113184.tif 000005
【図４】
2014113184.tif 000006
【図５】
2014113184.tif 000007
【図６】
2014113184.tif 000008
【図７】
2014113184.tif 000009